(57)【要約】      （修正有）【課題】一対のフラップ片間への差込片の差込状態を安定化でき、組立状態を確実に維持する容器を提供する。【解決手段】容器１０は、底板２２と、底板２２のＸ方向両端に連なる一対の端板１６と、底板２２のＹ方向両端に連なる一対の側板１７と、端板１６の端部１６ｂに連なる一対の内フラップ３１と、側板１７の端部１７ｂに連なる一対の外フラップ４０とを備える。端板１６の端部１６ｂは、Ｙ方向両端からＹ方向中央側に向けて底板２２から離れる向きに傾斜した一対の傾斜辺を有する。内フラップ３１は、一対の傾斜辺に連なる一対のフラップ片３２と、一対のフラップ片３２の対向する内側縁の一部にそれぞれ連なるＵ字状のブリッジ３４とを有する。外フラップ４０には、ブリッジ３４に挟み込まれるように、一対のフラップ片３２間に差し込まれた差込片４２が形成されている。【選択図】図１
0003228500.tif 000002
【実用新案登録請求の範囲】
【請求項１】
第１方向及び前記第１方向に対して交差する第２方向に延びる底板と、
前記底板の前記第１方向両端にそれぞれ連なり、前記第１方向及び前記第２方向に対して交差する第３方向に延びる一対の端板と、
前記底板の前記第２方向両端にそれぞれ連なり、前記第３方向に延びる一対の側板と、
前記端板のうち前記底板とは反対側の端部にそれぞれ連なり、前記底板に沿って延びる一対の内フラップと、
前記側板のうち前記底板とは反対側の端部にそれぞれ連なり、前記内フラップの外面側に配置された一対の外フラップと
を備え、
前記端板の前記端部はそれぞれ、前記第２方向両端から前記第２方向中央側に向けて前記底板から離れる向きに傾斜した一対の傾斜辺を有し、
前記内フラップはそれぞれ、前記一対の傾斜辺にそれぞれ連なり、前記傾斜辺に沿って傾斜した一対のフラップ片と、前記一対のフラップ片の対向する内側縁の一部にそれぞれ連なり、折曲部に沿ってＵ字状に折り曲げられたブリッジとを有し、
前記外フラップにはそれぞれ、前記ブリッジに挟み込まれ、前記一対のフラップ片間に差し込まれた差込片が形成されている、容器。
【請求項２】
前記内フラップの展開状態で、
前記一対のフラップ片は間隔をあけて位置し、
前記ブリッジは、前記一対のフラップ片に対して平坦に位置する、
請求項１に記載の容器。
【請求項３】
前記ブリッジは、前記一対のフラップ片それぞれの先端に連なっている、請求項１又は２に記載の容器。
【請求項４】
前記内フラップは、前記ブリッジに対して前記フラップ片を介して連なる前記端板側に位置するように、前記一対のフラップ片のうちの一方の前記内側縁に連なって他方の前記内側縁と分断された弾性片を有する、請求項１から３のいずれか１項に記載の容器。
【請求項５】
前記内フラップの展開状態で、
前記一対のフラップ片の前記内側縁は、前記端板から前記フラップ片の先端に向けて互いに離れる向きに傾斜し、
前記弾性片は、一対の前記内側縁の間を補完する形状を呈する、
請求項４に記載の容器。
【請求項６】
前記傾斜辺の前記底板側の端から前記フラップ片の先端までの前記フラップ片の最大長さに対して、前記ブリッジの前記第１方向の幅が占める割合は１０％〜６０％である、請求項１から５のいずれか１項に記載の容器。
【請求項７】
前記端板及び前記側板を備える外周壁の一面には、小動物を入れるための扉が形成されている、請求項１から６のいずれか１項に記載の容器。
【考案の詳細な説明】
【技術分野】
【０００１】
本考案は、容器に関する。
【背景技術】
【０００２】
特許文献１には、平坦な底板と、底板の対向する縁にそれぞれ立設された概ね五角形状で一対の端板と、底板の他の対向する縁にそれぞれ立設された四角形状で一対の側板と、一対の側板間の中央が上向きに突出するように傾斜した天板とを備える容器が開示されている。そのうち、天板は、端板にそれぞれ連設された一対の内フラップと、側板にそれぞれ連設された一対の外フラップとを備える。内フラップはそれぞれ一対のフラップ片を備え、これらの間にはＶ字形状の切り欠き（打抜部）が形成されている。外フラップにはそれぞれ、一対のフラップ片間（切り欠き内）に差し込まれる差込片が連設されている。
【先行技術文献】
【特許文献】
【０００３】
【特許文献１】実開昭５１−６６０２５号公報
【考案の概要】
【考案が解決しようとする課題】
【０００４】
特許文献１の容器では、端板に対してフラップ片が弾性的に揺動し易いため、一対のフラップ片間への差込片の差込状態が不安定である。よって、特許文献１の容器では組立状態を維持し難い。
【０００５】
本考案は、一対のフラップ片間への差込片の差込状態を安定化でき、組立状態を確実に維持できる容器を提供することを課題とする。
【課題を解決するための手段】
【０００６】
本考案の一態様は、第１方向及び前記第１方向に対して交差する第２方向に延びる底板と、前記底板の前記第１方向両端にそれぞれ連なり、前記第１方向及び前記第２方向に対して交差する第３方向に延びる一対の端板と、前記底板の前記第２方向両端にそれぞれ連なり、前記第３方向に延びる一対の側板と、前記端板のうち前記底板とは反対側の端部にそれぞれ連なり、前記底板に沿って延びる一対の内フラップと、前記側板のうち前記底板とは反対側の端部にそれぞれ連なり、前記内フラップの外面側に配置された一対の外フラップとを備え、前記端板の前記端部はそれぞれ、前記第２方向両端から前記第２方向中央側に向けて前記底板から離れる向きに傾斜した一対の傾斜辺を有し、前記内フラップはそれぞれ、前記一対の傾斜辺にそれぞれ連なり、前記傾斜辺に沿って傾斜した一対のフラップ片と、前記一対のフラップ片の対向する内側縁の一部にそれぞれ連なり、折曲部に沿ってＵ字状に折り曲げられたブリッジとを有し、前記外フラップにはそれぞれ、前記ブリッジに挟み込まれ、前記一対のフラップ片間に差し込まれた差込片が形成されている、容器を提供する。
【０００７】
本態様では、内フラップを構成する一対のフラップ片にそれぞれブリッジが連なっているため、端板に対する個々のフラップ片の揺動を抑制できる。よって、一対のフラップ片間への差込片の差込状態を安定させることができる。また、差込片は折曲部に沿って折り曲げられたブリッジに挟み込まれるため、差込片とブリッジの間の摩擦抵抗によって差込片の抜け止めを図ることができる。よって、容器の組立状態を確実に維持できる。
【０００８】
前記内フラップの展開状態で、前記一対のフラップ片は間隔をあけて位置し、前記ブリッジは、前記一対のフラップ片に対して平坦に位置する。本態様では、展開状態でブリッジがフラップ片に対して平坦に位置するため、展開状態でもフラップ片の揺動を抑制できる。展開状態で個々のフラップ片が自由に揺動可能な場合、ブランクを搬送しながら自動製函する際、製函装置の構成部品にフラップ片が引っ掛かって支障を来すことがある。しかし、本態様ではこのような不都合を抑制できるため、容器の生産性を向上できる。
【０００９】
前記ブリッジは、前記一対のフラップ片それぞれの先端に連なっている。本態様では、フラップ片の先端にブリッジが設けられているため、ブリッジの全長、つまり差込片の差込代を確保できる。よって、ブリッジと差込片の間の摩擦抵抗を確保できるため、容器の組立状態を確実に維持できる。また、製函装置による自動製函時、内フラップを押して移動させる際の安定性を向上できるため、容器の生産性を向上できる。
【００１０】
前記内フラップは、前記ブリッジに対して前記フラップ片を介して連なる前記端板側に位置するように、前記一対のフラップ片のうちの一方の前記内側縁に連なって他方の前記内側縁と分断された弾性片を有する。本態様では、内フラップがブリッジの端板側に弾性片を備えるため、この弾性片によって差込片に対する摩擦抵抗を増大できる。よって、差込片を確実に抜け止めできるため、容器の組立状態を確実に維持できる。
【００１１】
前記内フラップの展開状態で、前記一対のフラップ片の前記内側縁は、前記端板から前記フラップ片の先端に向けて互いに離れる向きに傾斜し、前記弾性片は、一対の前記内側縁の間を補完する形状を呈する。本態様では、弾性片が一対のフラップ片間を補完する形状を呈するため、展開状態で内フラップを平坦に維持できる。よって、製函装置による自動製函時、内フラップを押して移動させる際の安定性をより向上できるため、容器の生産性を向上できる。
【００１２】
前記傾斜辺の前記底板側の端から前記フラップ片の先端までの前記フラップ片の最大長さに対して、前記ブリッジの前記第１方向の幅が占める割合は１０％〜６０％である。本態様では、フラップ片の最大長さに対してブリッジの幅が占める割合が１０％〜６０％であるため、ブリッジの剛性を確保できる。よって、組立状態及び展開状態でのフラップ片の揺動を確実に抑制できる。
【００１３】
前記端板及び前記側板を備える外周壁の一面には、小動物を入れるための扉が形成されている。本態様では、外周壁の一面に扉が形成されているため、小動物を飼う小屋として容器を用いることができる。
【考案の効果】
【００１４】
本考案では、一対のフラップ片間への差込片の差込状態を安定化でき、容器の組立状態を確実に維持できる。
【図面の簡単な説明】
【００１５】
【図１】本考案の第１実施形態に係る容器の封緘前の状態を示す斜視図。
【図２】図１の容器の封緘状態を示す斜視図。
【図３】容器の底板を示す断面図。
【図４】図２の容器の一部を示す断面図。
【図５】図１の容器を展開したブランクを示す平面図。
【図６】図５のＶ部分の拡大図。
【図７Ａ】段ボールシートを示す断面図。
【図７Ｂ】段ボールシートに形成した汎用罫線を示す断面図。
【図７Ｃ】段ボールシートに形成した逆罫線を示す断面図。
【図７Ｄ】段ボールシートに形成した切断線を示す断面図。
【図８】第２実施形態に係る容器の内フラップを示す平面図。
【図９】第３実施形態に係る容器の内フラップを示す平面図。
【図１０】第４実施形態に係る容器の内フラップを示す平面図。
【図１１】第５実施形態に係る容器の斜視図。
【図１２】図１１の容器のブランクを示す平面図。
【図１３】第６実施形態に係る容器の底板を示す断面図。
【図１４】図１３の容器のブランクを示す平面図。
【考案を実施するための形態】
【００１６】
以下、本考案の実施の形態を図面に従って説明する。
【００１７】
（第１実施形態）
図１及び図２は、本考案の第１実施形態に係る容器１０を示す。この容器１０は、外周壁１５の一面に開閉可能な扉１１を備え、外周壁１５の他の一面に窓孔１２を備えており、例えばネコ等の小動物を飼う小屋として用いられる。勿論、容器１０は、小動物用の小屋に限られず、扉１１及び窓孔１２を設けることなく所定の物品を収容する包装箱として用いることもできる。
【００１８】
容器１０は、図５に示す一枚のブランクを所定部位で折り曲げて固着することで形成されている。ブランクは、紙器打抜装置によって紙製の段ボールシート１を打ち抜いて形成されている。図７Ａを参照すると、段ボールシート１は、表ライナ２（容器１０の外面）と裏ライナ３（容器１０の内面）の間に波状の中しん４を配設した構成である。
【００１９】
図５に一点鎖線で記載した部分は、図７Ｂに示すように、肉厚を圧縮するように裏ライナ３の方から罫を入れて形成した汎用罫線である。図５に二点鎖線で記載した部分は、図７Ｃに示すように、肉厚を圧縮するように表ライナ２の方から罫を入れて形成した逆罫線である。図５に実線で記載した部分は、図７Ｄに示すように、裏ライナ３から表ライナ２にかけて刃を入れて形成した切断線、及び打ち抜きによる形状線（辺）である。
【００２０】
図１、図２及び図３に示すように、容器１０は、筒状の外周壁１５と、外周壁１５の下端開口を塞ぐ底板２２と、外周壁１５の上端開口を塞ぐ天板３０とを備える。この容器１０は、外周壁１５の軸線に沿って中しん４が延びるように形成されている。
【００２１】
外周壁１５は、それぞれ対向する一対の端板１６と一対の側板１７とを備える四角筒状である。底板２２は、一対の短フラップ２３と一対の長フラップ２４とを備え、概ね平坦な四角形状を呈する。天板３０は、一対の内フラップ３１と一対の外フラップ４０とを備え、概ね三角屋根形状を呈する。
【００２２】
以下の説明では、一対の端板１６が対向する方向をＸ方向といい、一対の側板１７が対向する方向をＹ方向といい、底板２２と天板３０が対向する方向をＺ方向ということがある。Ｘ方向が本考案の第１方向であり、Ｙ方向が本考案の第２方向であり、Ｚ方向が本考案の第３方向であり、これらは互いに直交する方向に延びている。Ｘ方向、Ｙ方向及びＺ方向における容器１０の寸法は必要に応じて変更可能である。
【００２３】
図１から図３に示すように、一対の端板１６は、ＹＺ平面に沿って延びる同一の五角形状に形成され、Ｘ方向に間隔をあけて配置されている。一対の側板１７は、ＸＺ平面に沿って延びる同一の四角形状に形成され、Ｙ方向に間隔をあけて配置されている。端板１６と側板１７は、互いに交差する方向に延びており、折曲部１９を介して連なっている。
【００２４】
一対の端板１６のうちの一方には、小動物を入れるための扉１１が設けられ、一対の側板１７のうちの一方には、容器１０の内外を連通させる窓孔１２が設けられている。以下の説明では、扉１１が有る方を端板１６Ａといい、扉１１が無い方を端板１６Ｂということがある。また、窓孔１２が無い方を側板１７Ａといい、窓孔１２が有る方を側板１７Ｂということがある。
【００２５】
扉１１は、底板２２と端板１６との間に設けられた切断線１１ａ、切断線１１ａの一端からＺ方向上向きに延設された折曲線１１ｂ、切断線１１ａの他端からＺ方向上向きに延設された切断線１１ｃ、及び折曲線１１ｂの上端と切断線１１ｃの上端とに架設された半円状の切断線１１ｄとで画定されている。そのうち、未使用状態の切断線１１ｃ，１１ｄには、非切断線の連続部が設けられている。折曲線１１ｂは、汎用罫線上に間隔をあけて切断線を設けたリード罫によって構成されている。また、扉１１には、切断線１１ｃの中間部分に位置するように、開閉操作するための切欠部１１ｅが半円状に設けられている。
【００２６】
窓孔１２は、四角形状の打抜部によって構成されており、本実施形態では格子状をなすように４個整列して設けられている。
【００２７】
側板１７Ａと端板１６Ｂは、付代部１８を介して連続している。付代部１８は、側板１７Ａに連設され、酢酸ビニルエマルジョン等の接着剤によって端板１６Ｂの内面側に接着されている。図５を参照すると、付代部１８、側板１７Ａ、端板１６Ａ、側板１７Ｂ、及び端板１６Ｂは、この順で左側から右側へ折曲部１９を構成する折曲線１９’を介して連設されている。折曲線１９’はいずれも、図７Ｂに示す汎用罫線によって構成され、Ｚ方向に延びている。
【００２８】
図３及び図５を参照すると、底板２２は、端板１６にそれぞれ連なる一対の短フラップ２３と、側板１７にそれぞれ連なる一対の長フラップ２４とを備える。以下の説明では、端板１６Ａに連なる方を短フラップ２３Ａといい、端板１６Ｂに連なる方を短フラップ２３Ｂということがある。また、側板１７Ａに連なる方を長フラップ２４Ａといい、側板１７Ｂに連なる方を長フラップ２４Ｂということがある。
【００２９】
底板２２は、折畳み状態の外周壁１５を四角筒状に広げることで、一対の短フラップ２３と一対の長フラップ２４がＸＹ平面に沿って延びる四角形状をなし、外周壁１５の底を塞ぐワンアクション組立式である。底板２２に対して端板１６は、折曲部２５を介してＸ方向両端にそれぞれ連なり、Ｚ方向上向きに延びている。底板２２に対して側板１７は、折曲部２６を介してＹ方向両端にそれぞれ連なり、Ｚ方向上向きに延びている。
【００３０】
短フラップ２３Ａ，２３Ｂは、折曲部２５を構成する折曲線２５’を介して端板１６Ａ，１６Ｂの下端部１６ａに連設されている。折曲線２５’は、汎用罫線によって構成され、Ｙ方向に延びている。長フラップ２４Ａ，２４Ｂは、折曲部２６を構成する折曲線２６’を介して側板１７Ａ，１７Ｂの下端部１７ａに連設されている。折曲線２６’は、汎用罫線によって構成され、Ｘ方向に延びている。
【００３１】
短フラップ２３Ａ，２３Ｂは、概ね台形状であり、Ｘ方向に間隔をあけて対向している。長フラップ２４Ａ，２４Ｂは、概ね四角形状であり、Ｙ方向に突出し、互いの先端が重なり合っている。長フラップ２４Ａには、隣接した短フラップ２３Ａ側に逆罫線からなる折曲線２７’が設けられ、この折曲線２７’によって接着部２４ａが形成されている。長フラップ２４Ｂには、隣接した短フラップ２３Ｂ側に逆罫線からなる折曲線２７’が設けられ、この折曲線２７’によって接着部２４ａが形成されている。接着部２４ａは、折曲線２７’を斜辺とする概ね直角三角形状である。また、長フラップ２４Ａ，２４Ｂには、組立状態で互いに噛み合う切欠部２４ｂが設けられている。
【００３２】
底板２２は次のように組み立てられる。まず、端板１６に対して短フラップ２３をそれぞれ折り曲げるとともに、側板１７に対して長フラップ２４をそれぞれ折り曲げる。また、接着部２４ａを長フラップ２４の内面側（裏ライナ３側）にそれぞれ折り曲げる。続いて、端板１６Ａに対して側板１７Ａを折り曲げるとともに、側板１７Ｂに対して端板１６Ｂを折り曲げる。そして、付代部１８と端板１６Ｂ、長フラップ２４Ａの接着部２４ａと短フラップ２３Ａ、及び長フラップ２４Ｂの接着部２４ａと短フラップ２３Ｂを、接着剤によって接着する。これにより、図３に示すように、外周壁１５を四角筒状に広げることで、外周壁１５の底を塞ぐことが可能なワンアクション組立式の底板２２を形成できる。
【００３３】
図１及び図２に示すように、天板３０は、端板１６の上端部１６ｂにそれぞれ連なる一対の内フラップ３１と、側板１７の上端部１７ｂにそれぞれ連なる一対の外フラップ４０とを備える。内フラップ３１は底板２２に沿って延び、外フラップ４０は内フラップ３１の外面側に配置されている。
【００３４】
具体的には、図１及び図６に示すように、端板１６の上端部１６ｂは、Ｙ方向両端からＹ方向中央に向けて、底板２２から離れる向き（図２において上向き）に傾斜した一対の傾斜辺１６ｃを備える。一対の傾斜辺１６ｃそれぞれの上端間には、Ｙ方向に沿って平行に延びる上端辺１６ｄが形成されている。この上端辺１６ｄは、後述する差込片４２を差し込むための空隙の確保と、フラップ片３２の折曲性の向上のために設けられている。
【００３５】
個々の内フラップ３１は、底板２２とは反対側の上端部１６ｂのうち、一対の傾斜辺１６ｃにそれぞれ連なり、傾斜辺１６ｃに沿って傾斜した一対のフラップ片３２を備える。個々の外フラップ４０は、底板２２とは反対側の上端部１７ｂに連なり、この上端部１７ｂとは反対側の先端には差込片４２が連設されている。Ｙ方向に対向するフラップ片３２の内側縁３２ｃの間に差込片４２を差し込むことで、一対の内フラップ３１に対して一対の外フラップ４０が係着し、形成された天板３０によって外周壁１５の上端開口が塞がれる。
【００３６】
フラップ片３２は、傾斜辺１６ｃを構成する折曲部３３を介して端板１６に連設されている。折曲部３３を構成する折曲線３３’は、図７Ｂに示す汎用罫線によって構成されている。フラップ片３２は、傾斜辺１６ｃ（折曲部３３）側から先端縁３２ａに向けて、Ｙ方向の幅を次第に狭くした四角形状である。先端縁３２ａとは、フラップ片３２のうち、連続した端板１６から最も離れた部位（縁）のことを意味する。１つの内フラップ３１を構成する一組のフラップ片３２の形状は、Ｙ方向中央を通りＸ方向に延びる中心線（図示せず）を対称軸として線対称である。
【００３７】
フラップ片３２のうちＹ方向外側に位置する外側縁３２ｂは、先端縁３２ａに対して直交方向に延びるとともに、傾斜辺１６ｃに対して９０度未満の鋭角に傾斜している。フラップ片３２のうちＹ方向内側に位置する内側縁３２ｃは、傾斜辺１６ｃに対して直交方向に延びるとともに、先端縁３２ａに対して９０度よりも大きい鈍角に傾斜している。
【００３８】
図２に示す組立状態では、図１において左側の内フラップ３１のように、一組のフラップ片３２の内側縁３２ｃは、互いに平行に位置し、Ｘ方向に延びている。図６に示すブランクの状態（展開状態）では、一組のフラップ片３２は、互いに間隔をあけて位置する。また、一組のフラップ片３２の内側縁３２ｃは、傾斜辺１６ｃ（端板１６）から先端縁３２ａに向けて互いに離れる向きに傾斜し、概ねＶ字形状を呈している。
【００３９】
図１及び図２に示すように、個々の外フラップ４０は、四角形状であり、折曲部４１を介して側板１７の直線状をなす上端部１７ｂに連なっている。折曲部４１を構成する折曲線４１’は汎用罫線によって構成されている。外フラップ４０は、フラップ片３２の外面側に重ねて配置され、Ｙ方向の外側から内側（中央）に向けて上向きに傾斜している。つまり、一対の外フラップ４０は、Ｘ方向に対応する傾斜辺１６ｃに沿って、互いに交差する方向に傾斜している。
【００４０】
外フラップ４０の先端側、つまり外フラップ４０のうち側板１７から離れて位置する部位（先端側）には、折曲部４３を介して差込片４２が設けられている。折曲部４３は一対のフラップ片３２の内側縁３２ｃ間に位置し、この内側縁３２ｃ間に差込片４２が差し込まれている。差込片４２は、先端角部をアール面取りした短冊状である。折曲部４３を構成する折曲線４３’は汎用罫線によって構成されている。
【００４１】
図５を参照すると、ブランクの状態では、差込片４２の先端と内フラップ３１の先端、つまり差込片４２の先端縁とフラップ片３２の先端縁３２ａとは、直線上に位置している。言い換えれば、端板１６の傾斜辺１６ｃに基づいて定められる外フラップ４０の突出寸法に、差込代を考慮した差込片４２の突出寸法を加えた全長と一致するように、内フラップ３１の最大長さ（突出寸法）が設定されている。
【００４２】
一対のフラップ片３２間への差込片４２の差込状態を安定化し、容器１０の組立状態を確実に維持するために、本実施形態の内フラップ３１には、ブリッジ３４と弾性片３７とが更に設けられている。
【００４３】
図１及び図４に示すように、ブリッジ３４は、一対のフラップ片３２それぞれの内側縁３２ｃの一部に折曲部３５を介して連なり、折曲部３６に沿ってＵ字状に折り曲げられている。折曲部３６によってブリッジ３４が第１部分３４ａと第２部分３４ｂに区分され、これらの間に差込片４２がブリッジ３４に挟み込まれる。
【００４４】
具体的には、ブリッジ３４は、一対のフラップ片３２それぞれの内側縁３２ｃの先端にそれぞれ連なっている。ブリッジ３４は、一対のフラップ片３２のうち、Ｚ方向の上端に位置する内側縁３２ｃからそれぞれ下向き突出し、Ｚ方向の下端に位置する折曲部３６で折り返されている。
【００４５】
折曲部３６は、フラップ片３２の下側でＸ方向に延びている。図６に示す展開状態で一対のフラップ片３２の内側縁３２ｃ（折曲部３５）がＶ字状に傾斜しているため、図４に最も明瞭に示すように、組立状態で折曲部３６は、Ｘ方向内側（図４において右側）からＸ方向外側（図４において左側）に向けて上向きに傾斜している。つまり、折曲部３６は、外周壁１５の中心側から端板１６に向けて上向きに傾斜している。
【００４６】
図６を参照すると、内フラップ３１の展開状態でブリッジ３４は、一対のフラップ片３２に対して平坦に位置する。折曲部３５を構成する折曲線３５’は、汎用罫線によって構成され、内側縁３２ｃ上を延びている。折曲部３６を構成する折曲線３６’は、一対の折曲線３５’間の中央であるブリッジ３４のＹ方向中央に設けられ、折曲性が良好なリード罫によって構成されている。
【００４７】
より具体的には、ブリッジ３４は、Ｘ方向において外周壁１５の中心側に位置する第１縁３４ｃと、第１縁３４ｃよりもＸ方向外側に位置する第２縁３４ｄとを備える。第１縁３４ｃは、フラップ片３２の先端縁３２ａと同一直線状に延びている。第１縁３４ｃから第２縁３４ｄまでの距離であるブリッジ３４の第１方向Ｘの幅Ｗは、ブリッジ３４の剛性を確保でき、フラップ片３２の揺動を抑制できる寸法に設定されている。より具体的には、フラップ片３２の最大長さＬに対してブリッジ３４の幅Ｗが占める割合は１０％〜６０％である。フラップ片３２の最大長さＬとは、傾斜辺１６ｃの底板２２側の端からフラップ片３２の先端縁３２ａまでの距離を意味する。
【００４８】
フラップ片３２の最大長さＬに対するブリッジ３４の幅Ｗの割合を過度に少なくした場合、ブリッジ３４の剛性が低くなるため、端板１６に対する個々のフラップ片３２の揺動抑制が困難になる。フラップ片３２の最大長さＬに対するブリッジ３４の幅Ｗの割合を過度に多くした場合、図４において左側に位置する第２縁３４ｄが更に左側に位置するため、内側縁３２ｃから折曲部３６までのＺ方向の深さが浅くなる。この深さは、差込片４２の差込代に相当するため、過度に浅い場合には差込片４２が抜け易くなる。これらの不都合を防ぐために、フラップ片３２の最大長さＬに対するブリッジ３４の幅Ｗの割合は、上記定められた範囲に設定することが好ましい。
【００４９】
図１及び図４に示すように、弾性片３７は、ブリッジ３４に対してフラップ片３２を介して連なる端板１６側に隣接して設けられている。弾性片３７は、一対のフラップ片３２のうち、一方の内側縁３２ｃに連なり、他方の内側縁３２ｃと分断され、連なった方のフラップ片３２に対して弾性的に揺動可能である。
【００５０】
図６を併せて参照すると、弾性片３７は、一対のフラップ片３２のうちの一方の内側縁３２ｃに折曲部３８を介して連設されている。折曲部３８を構成する折曲線３８’は、汎用罫線によって構成されている。一対のフラップ片３２のうちの他方の内側縁３２ｃ上には、図７Ｄに示す切断線からなる切断部３９ａが設けられ、弾性片３７と他方のフラップ片３２との連続性が断たれている。また、弾性片３７とブリッジ３４の間と及び上端辺１６ｄ上にも、それぞれ切断線からなる切断部３９ｂ，３９ｃが設けられ、弾性片３７との連続性が断たれている。
【００５１】
このように形成された弾性片３７は、内フラップ３１の展開状態で、一対のフラップ片３２に対して平坦に位置し、一対のフラップ片３２が備える内側縁３２ｃの間の空間を補完する形状を呈する。また、組立状態の弾性片３７は、折曲部３８を中心として一方のフラップ片３２に対して弾性的に揺動可能である。
【００５２】
容器１０を組み立てる場合、前述のように外周壁１５を四角筒状に広げることで、外周壁１５の下端開口を底板２２によって閉塞する（図３参照）。続いて、図１に示すように、端板１６に対して一対のフラップ片３２を内向きに折り曲げるとともに、フラップ片３２に対してブリッジ３４と弾性片３７を下向きに折り曲げる。その後、側板１７に対して外フラップ４０を折り曲げるとともに、外フラップ４０に対して差込片４２を折り曲げ、差込片４２を一対のフラップ片３２間に差し込む（図２参照）。これにより差込片４２は、図４に示すように、ブリッジ３４の第１部分３４ａと第２部分３４ｂの間に挟み込まれるとともに、ブリッジ３４が無い部分では一対のフラップ片３２の内側縁３２ｃ間に差し込まれる。
【００５３】
このように構成した容器１０は、以下の特徴を有する。
【００５４】
内フラップ３１を構成する一対のフラップ片３２にそれぞれブリッジ３４が連なっているため、端板１６に対する個々のフラップ片３２の揺動を抑制できる。よって、一対のフラップ片３２間への差込片４２の差込状態を安定させることができる。また、差込片４２は、折曲部３６に沿って折り曲げられたブリッジ３４に挟み込まれ、ブリッジ３４に対して面接触するため、差込片４２の差込状態の安定性をより向上できる。
【００５５】
ブリッジ３４に対して差込片４２が挟み込まれて面接触するため、これらの間に生じる摩擦抵抗によって、一対のフラップ片３２間からの差込片４２の抜け止めを図ることができる。よって、容器１０の組立状態を確実に維持できる。
【００５６】
内フラップ３１の展開状態でブリッジ３４は、フラップ片３２に対して平坦に位置するため、展開状態でもフラップ片３２の揺動を抑制できる。展開状態で個々のフラップ片３２が自由に揺動可能な場合、ブランクを搬送しながら自動製函する際、製函装置の構成部品にフラップ片３２が引っ掛かって支障を来すことがある。しかし、本実施形態ではこのような不都合を抑制できるため、容器１０の生産性を向上できる。
【００５７】
フラップ片３２の先端にブリッジ３４が設けられているため、ブリッジ３４の全長、つまり差込片４２の差込代に相当するブリッジ３４のＺ方向の深さを確保できる。言い換えれば、フラップ片３２の端板１６側にブリッジ３４を設けた場合、ブリッジ３４のＹ方向の寸法が短くなり、ブリッジ３４のＺ方向の深さを確保し難いが、本実施形態ではこのような不都合を防止できる。よって、ブリッジ３４と差込片４２の接触面積、つまりブリッジ３４と差込片４２の間の摩擦抵抗を確保できるため、容器１０の組立状態を確実に維持できる。また、フラップ片３２の先端（先端縁３２ａ）とブリッジ３４の先端（第１縁３４ｃ）とが直線上に位置するため、製函装置による自動製函時、内フラップ３１を押して移動させる際の安定性を向上でき、容器１０の生産性を向上できる。
【００５８】
内フラップ３１はブリッジ３４の端板１６側に弾性片３７を備えるため、この弾性片３７が差込片４２に対して弾性的に接触する。これにより、弾性片３７によって差込片４２に対する摩擦抵抗を増大できるため、差込片４２を確実に抜け止めできる。よって、容器１０の組立状態を確実に維持できる。
【００５９】
展開状態で弾性片３７は一対のフラップ片３２の内側縁３２ｃ間を補完する形状を呈するため、展開状態で内フラップ３１を平坦に維持できる。よって、製函装置による自動製函時、内フラップ３１を押して移動させる際の安定性をより向上できるため、容器１０の生産性を向上できる。
【００６０】
フラップ片３２の最大長さＬに対してブリッジ３４の幅Ｗが占める割合が１０％〜６０％であるため、ブリッジ３４の剛性を確保できる。よって、組立状態及び展開状態でのフラップ片３２の揺動を確実に抑制できる。
【００６１】
端板１６及び側板１７を備える外周壁１５の一面に扉１１が形成されているため、小動物を飼う小屋として容器１０を用いることができる。この容器１０は段ボール紙製であるため、専用の小屋と比較して安価に提供できる。よって、汚れたら交換すれば良いため、世話に関する利便性を向上できる。
【００６２】
（第２実施形態）
図８は第２実施形態の容器１０の内フラップ３１を示す。この第２実施形態では、内フラップ３１に弾性片を設けていない点で、第１実施形態と相違する。つまり、ブリッジ３４に対してフラップ片３２を介して連なる端板１６側には、一対のフラップ片３２の内側縁３２ｃ、ブリッジ３４の第２縁３４ｄ、及び端板１６の上端辺１６ｄによって画定された打抜空間が形成されている。このようにした第２実施形態の容器１０は、一対のフラップ片３２に連設されたブリッジ３４を備えるため、第１実施形態と同様に、一対のフラップ片３２間への差込片４２の差込状態を安定化でき、容器１０の組立状態を確実に維持できる。
【００６３】
（第３実施形態）
図９は第３実施形態の容器１０の内フラップ３１を示す。この第３実施形態では、弾性片３７を、内フラップ３１のブリッジ３４側の一部だけに設け、残りの端板１６側には設けていない点で、第１実施形態と相違する。つまり、ブリッジ３４に対してフラップ片３２を介して連なる端板１６側には弾性片３７が設けられ、この弾性片３７の端板１６側には、一対のフラップ片３２の内側縁３２ｃ、弾性片３７の縁、及び端板１６の上端辺１６ｄによって画定された打抜空間が形成されている。このようにした第３実施形態の容器１０は、第１実施形態と同様の作用及び効果を得ることができる。
【００６４】
（第４実施形態）
図１０は第４実施形態の容器１０の内フラップ３１を示す。この第４実施形態では、内フラップ３１に弾性片を設けることなく、フラップ片３２のＸ方向の中間部分にブリッジ３４を連設した点で、第１実施形態と相違する。つまり、ブリッジ３４に対してフラップ片３２を介して連なる端板１６側には、一対のフラップ片３２の内側縁３２ｃ、ブリッジ３４の第２縁３４ｄ、及び端板１６の上端辺１６ｄによって画定された打抜空間が形成されている。ブリッジ３４に対して内フラップ３１の先端側には、一対のフラップ片３２の内側縁３２ｃ、及びブリッジ３４の第１縁３４ｃによって画定された切り欠きが形成されている。このようにした第４実施形態の容器１０は、一対のフラップ片３２に連設されたブリッジ３４を備えるため、第１実施形態と同様に、一対のフラップ片３２間への差込片４２の差込状態を安定化でき、容器１０の組立状態を確実に維持できる。
【００６５】
（第５実施形態）
図１１及び図１２は第５実施形態の容器１０を示す。この第５実施形態の容器１０は、天板３０に持ち運び用の取手４５を設けた点で、第１実施形態の容器１０と相違する。
【００６６】
図１１を参照すると、取手４５は、外フラップ４０の先端のＸ方向中央にそれぞれ設けられ、外フラップ４０からＺ方向上向きに突出している。取手４５は、ＸＺ平面に沿って延びる四角形状であり、長円形状の把持孔４６を備える。図１２を参照すると、取手４５は、差込片４２に一対の切断線４７を設けることで、一対の切断線４７間に設けられている。切断線４７は、図４における内フラップ３１の先端よりもＸ方向内側（右側）に位置しており、内フラップ３１の先端に対してＸ方向に一致する位置であることが好ましい。これにより、一対の内フラップ片３２間に差し込む差込片４２の面積を確保しつつ、持ち運び用の取手４５を確保できる。
【００６７】
このようにした第５実施形態の容器１０は、第１実施形態と同様の作用及び効果を得ることができる。また、容器１０には取手４５が設けられているため、ペットショップで購入した小動物を持ち帰る際に有効に使用できる。なお、この第５実施形態の容器１０においても、第２実施形態のように弾性片３７を設けなくてもよいし、第３実施形態のように弾性片３７を一部だけに設けてもよいし、第４実施形態のようにブリッジ３４をフラップ片３２の中間部分に連設してもよい。
【００６８】
（第６実施形態）
図１３及び図１４は第６実施形態の容器１０を示す。この第６実施形態の容器１０は、底板２２を、一対の短フラップ２３と一対の長フラップ２４とを噛み合わせて形成したインターロック式とした点で、第１実施形態の容器１０と相違する。内フラップ３１については、第１実施形態の内フラップと同様であるが、第２実施形態から第４実施形態の内フラップと同様にしてもよいし、天板３０については第５実施形態と同様に取手を設けてもよい。
【００６９】
図１３及び図１４に示すように、底板２２は、端板１６にそれぞれ連なる一対の短フラップ２３と、側板１７にそれぞれ連なる一対の長フラップ２４とを備える。短フラップ２３Ａ，２３Ｂは、これらの間に位置する長フラップ２４Ｂ側に切り欠きによる傾斜縁を備える概ね直角台形状である。長フラップ２４Ａは、Ｘ方向の幅を側板１７Ａから先端に向けて次第に小さくした概ね二等辺台形状である。長フラップ２４Ｂは、先端が長フラップ２４Ａと先端と重なり合う寸法の長方形状であり、その先端に長フラップ２４Ａの先端幅に対応する幅の切欠部２４ｃを備える。
【００７０】
第６実施形態の底板２２は次のように組み立てられる。まず、側板１７Ｂに対して長フラップ２４Ｂを内向きに折り曲げた後、端板１６Ａ，１６Ｂに対して短フラップ２３Ａ，２３Ｂをそれぞれ内向きに折り曲げる。続いて、側板１７Ａに対して長フラップ２４Ａを内向きに折り曲げ、切欠部２４ｃを通して長フラップ２４Ａの先端部２４ｄを長フラップ２４Ｂの内面側（裏ライナ３側）に押し込む。これにより、図１３に示すように、四角筒状をなす外周壁１５の底を塞ぐことができる。
【００７１】
なお、本考案の容器１０は、前記実施形態の構成に限定されず、種々の変更が可能である。
【００７２】
例えば、端板１６の一対の傾斜辺１６ｃ、内フラップ３１を構成する一対のフラップ片３２、及び一対の外フラップ４０はそれぞれ、Ｘ方向から端板１６を見て左右対称な傾斜としたが、左側と右側とで傾斜角度が異なっていてもよい。つまり、Ｙ方向両端からＹ方向中央側に向けて底板２２から離れる向きに傾斜するとは、幾何学的に厳密な意味での中央に限られず、Ｙ方向中央の方に向けて傾斜していればよい。
【００７３】
ブランクの状態で、天板３０を構成する内フラップ３１の突出寸法と差込片４２を含む外フラップ４０の突出寸法とは、異なっていてもよい。端板１６の傾斜辺１６ｃ（折曲部３３）は、直線状に限られず、フラップ片３２を折り曲げることが可能な範囲で湾曲した曲線状であってもよい。
【００７４】
容器１０は、外周壁１５をＺ方向の下側と上側とで分割し、互いに組付可能とした２ピース構造であってもよい。外周壁１５は、端板１６と側板１７の間に面取り板を備え、Ｚ方向から見て八角筒状であってもよい。
【００７５】
容器１０の素材は、紙製の段ボールシートに限らず、樹脂製の段ボールシートであってもよい。また、容器１０の素材は、段ボールシートに限られず、単層の厚紙や樹脂シートであってもよい。
【符号の説明】
【００７６】
１…段ボールシート
２…表ライナ
３…裏ライナ
４…中しん
１０…容器
１１…扉
１１ａ…切断線
１１ｂ…折曲線
１１ｃ，１１ｄ…切断線
１１ｅ…切欠部"
１２…窓孔
１５…外周壁
１６，１６Ａ，１６Ｂ…端板
１６ａ…下端部
１６ｂ…上端部
１６ｃ…傾斜辺
１６ｄ…上端辺
１７，１７Ａ，１７Ｂ…側板
１７ａ…下端部
１７ｂ…上端部
１８…付代部
１９…折曲部
１９’…折曲線
２２…底板
２３，２３Ａ，２３Ｂ…短フラップ
２４，２４Ａ，２４Ｂ…長フラップ
２４ａ…接着部
２４ｂ…切欠部
２４ｃ…切欠部
２４ｄ…先端部
２５…折曲部
２５’…折曲線
２６…折曲部
２６’…折曲線
２７’…折曲線
３０…天板
３１…内フラップ
３２…フラップ片
３２ａ…先端縁
３２ｂ…外側縁
３２ｃ…内側縁
３３…折曲部
３３’…折曲線
３４…ブリッジ
３４ａ…第１部分
３４ｂ…第２部分
３４ｃ…第１縁
３４ｄ…第２縁
３５…折曲部
３５’…折曲線
３６…折曲部
３６’…折曲線
３７…弾性片
３８…折曲部
３８’…折曲線
３９ａ〜３９ｃ…切断部
４０…外フラップ
４１…折曲部
４１’…折曲線
４２…差込片
４３…折曲部
４３’…折曲線
４５…取手
４６…把持孔
４７…切断線
Ｗ…ブリッジの幅
Ｌ…フラップ片の最大長さ
Ｘ…Ｘ方向（第１方向）
Ｙ…Ｙ方向（第２方向）
Ｚ…Ｚ方向（第３方向）
【図１】
0003228500.tif 000003
【図２】
0003228500.tif 000004
【図３】
0003228500.tif 000005
【図４】
0003228500.tif 000006
【図５】
0003228500.tif 000007
【図６】
0003228500.tif 000008
【図７Ａ】
0003228500.tif 000009
【図７Ｂ】
0003228500.tif 000010
【図７Ｃ】
0003228500.tif 000011
【図７Ｄ】
0003228500.tif 000012
【図８】
0003228500.tif 000013
【図９】
0003228500.tif 000014
【図１０】
0003228500.tif 000015
【図１１】
0003228500.tif 000016
【図１２】
0003228500.tif 000017
【図１３】
0003228500.tif 000018
【図１４】
0003228500.tif 000019